(57)【要約】【課題】充電台同士を接続してその間でデータ転送することにより、機種の異なる携帯端末間においても、簡易にかつ高いセキュリティをもってデータ転送することができる充電器におけるデータ送受信方法、及びその充電器を提供する。【解決手段】携帯電話本体に電力を供給する充電部とその携帯電話本体から送られてきたデータを保存するバックアップ用のメモリとを有する充電台からなる装置同士（装置Ａ，Ｂ）でのデータ送受信方法において、充電台同士を電気的に接続し、その充電台同士における一方の充電台Ａのメモリに保存されているデータを他方の充電台Ｂに転送する（Ｓ５０１、Ｓ５０２）ことを特徴とする。【選択図】  図５
2004248087.tif 000002
【特許請求の範囲】
【請求項１】
携帯端末に電力を供給する充電部と該携帯端末から送られてきたデータを保存するバックアップメモリとを有する充電器におけるデータ送受信方法において、
前記充電器同士を電気的に接続し、
一方の充電器のバックアップメモリに保存されているデータを他方の充電器に転送することを特徴とする充電器におけるデータ送受信方法。
【請求項２】
前記転送されたデータを受信した他方の充電器は、前記データをバックアップメモリに保存し、保存したことを示す登録データを作成するとともに該登録データを前記一方の充電器に送信し、
前記登録データを受信した一方の充電器は、該登録データを保存するとともにバックアップメモリに保存されている前記データを消去することを特徴とする請求項２記載の充電器におけるデータ送受信方法。
【請求項３】
前記他方の充電器と前記一方の充電器とを再接続した場合、前記他方の充電器に保存されている前記登録データと前記一方の充電器に保存されている前記登録データとを照合し、照合がとれた場合は、前記他方の充電器のバックアップメモリに保存されている前記データを前記一方の充電器に再転送するとともに、前記他方の充電器のバックアップメモリに保存されている前記データを消去することを特徴とする請求項２記載の充電器におけるデータ送受信方法。
【請求項４】
携帯端末に電力を供給する充電部と該携帯端末から送られてきたデータを保存するバックアップメモリとを有してなる充電器において、
前記充電器同士を電気的に接続する接続部と、
前記充電器同士が前記接続部を介して電気的に接続された場合に、一方の充電器のバックアップメモリに保存されているデータを他方の充電器に転送する制御を行う制御部とを有することを特徴とする充電器。
【発明の詳細な説明】
【０００１】
【発明の属する技術分野】
本発明は、充電器におけるデータ送受信方法、及びその充電器に関する。
【０００２】
【従来の技術】
近年、携帯電話の高性能化及び高機能化に伴って、ユーザが携帯電話内のメモリに保存し管理するデータの量及び種類が増大してきている。携帯電話に保存されるデータは、従来、電話番号と名前データからなる電話帳データ程度であったが、この電話帳データも電話番号の桁数が多くなった上、携帯電話が電子メール機能を持ったために電子メールアドレス等も追加され増大してきている。また、携帯電話では、画像表示機能又はカメラ機能が搭載され画像データを扱うようになり、着信メロディ又は音楽再生機能が搭載され音楽データも扱うようになってきている。
【０００３】
このように携帯電話において大量のデータを保存及び管理するようになると、操作間違い又は故障等の不慮の事態によって携帯電話のメモリ上に保存されているデータが消去されてしまうとユーザに与える被害は重大なものとなる。
上記課題を解決するために、携帯電話本体に外部記録装置を接続して外部メディアにデータバックアップを行うもの、又は携帯電話用の充電器にメモリを搭載して充電を行いならがバックアップ又はリストア処理を行う技術が提案されている（例えば、特許文献１参照）。
【０００４】
【特許文献１】
特開平１１−２４３６４７号公報
【０００５】
上記特許文献１に記載されている携帯電話機のデータバックアップ装置は、充電用端子を有した蓄電部と、情報伝送用インタフェースを有し、充電用端子に携帯電話が接続されると同時にその携帯電話機に保存されたデータを読み取って保存するものである。また、特許文献１に記載されている携帯電話機のデータバックアップ装置は、情報伝送用インタフェースを通してバックアップデータをリストアできる。
【０００６】
【発明が解決しようとする課題】
しかしながら、上記従来の技術では、携帯電話機の機種変更時において機種によって形状が異なるため、以前使用していた充電台（データバックアップ装置）を使用することができず、以前使用していた携帯電話機のデータを簡易に新機種の携帯電話機にコピーすることができないという問題点がある。
また、通信事業者（キャリア会社）が個人として認証を行うデータは、通常固定され、たとえ利用者であってもむやみにバックアップを行うものではない。このバックアップが可能であるならば、第３者が別の携帯電話機を充電台と接続して、その充電台に保存されているデータを持ち出すことが可能となってしまう。また、近年、携帯電話機の性能向上に伴い携帯電話機に個人名、電話番号、電子メールアドレス又は住所等の大量の個人情報を保存することが可能となっており、これらの情報が簡単に持ち出せることはセキュリティ上大きな問題となる。
【０００７】
また、バックアップ装置を用いてむやみに携帯電話機内のデータのバックアップが可能となると、そのバックアップ装置を用いて、第３者の識別データを複製するといった、犯罪を増長する行為を誘発しかねない。また、メモリカード等の外部記憶装置を介してデータの移動を行う場合も同様の問題が発生するため、データバックアップ時に携帯電話機に独自の暗号化処理を搭載して、保存したデータを他の携帯電話機又はパーソナルコンピュータなどで読めなくするなどの対策が必要となる。また、サーバーを利用する場合においても、不正なアクセスによるハッキングの対象になるといった問題点がある。
【０００８】
本発明は、上記問題点を解決するためになされたものであり、充電台同士を接続してその間でデータ転送することにより、機種の異なる携帯端末間においても、簡易にかつ高いセキュリティをもってデータ転送することができる充電器におけるデータ送受信方法、及びその充電器を提供することを目的とする。
【０００９】
【課題を解決するための手段】
上記目的を達成するために、請求項１に記載の発明は、携帯端末に電力を供給する充電部と該携帯端末から送られてきたデータを保存するバックアップメモリとを有する充電器におけるデータ送受信方法において、前記充電器同士を電気的に接続し、一方の充電器のバックアップメモリに保存されているデータを他方の充電器に転送することを特徴とする。
このようにすると、例えば、一方の充電器に接続される携帯端末と、他方の充電器に接続される携帯端末とが異なる機種であっても、２つの充電器を介して、一方の携帯端末のデータ（例えば電話帳及びメールアドレスなど）を他方の携帯端末に、簡易に転送することができる。したがって、本発明によれば、携帯端末の機種変更などをした場合、今まで使用されていた携帯端末内のデータを新たな携帯端末に簡易にコピーすることができる。また、本発明によれば、充電器同士間でデータの送受信をするので、他の経路からデータが漏洩することを回避することができる。
【００１０】
請求項２に記載の発明は、前記転送されたデータを受信した他方の充電器は、前記データをバックアップメモリに保存し、保存したことを示す登録データを作成するとともに該登録データを前記一方の充電器に送信し、前記登録データを受信した一方の充電器は、該登録データを保存するとともにバックアップメモリに保存されている前記データを消去することを特徴とする。
【００１１】
請求項３に記載の発明は、前記他方の充電器と前記一方の充電器とを再接続した場合、前記他方の充電器に保存されている前記登録データと前記一方の充電器に保存されている前記登録データとを照合し、照合がとれた場合は、前記他方の充電器のバックアップメモリに保存されている前記データを前記一方の充電器に再転送するとともに、前記他方の充電器のバックアップメモリに保存されている前記データを消去することを特徴とする。
【００１２】
請求項４に記載の発明は、携帯端末に電力を供給する充電部と該携帯端末から送られてきたデータを保存するバックアップメモリとを有してなる充電器において、前記充電器同士を電気的に接続する接続部と、前記充電器同士が前記接続部を介して電気的に接続された場合に、一方の充電器のバックアップメモリに保存されているデータを他方の充電器に転送する制御を行う制御部とを有することを特徴とする。
このようにすると、例えば、本発明に係る充電器（充電台）は、一方の充電器に接続される携帯端末と、他方の充電器に接続される携帯端末とが異なる機種であっても、２つの充電器を介して、一方の携帯端末のデータ（例えば電話帳及びメールアドレスなど）を他方の携帯端末に、簡易に転送することができる。したがって、本発明によれば、携帯端末の機種変更などをした場合、今まで使用されていた携帯端末内のデータを新たな携帯端末に簡易にコピーすることができる。また、本発明によれば、充電器同士間でデータの送受信をするので、他の経路からデータが漏洩することを回避することができる。
【００１３】
【発明の実施の形態】
以下、図面を参照し、本発明の一実施形態に係る充電器におけるデータ送受信方法、及びその充電器について説明する。本実施形態では、携帯端末の一例として携帯電話を挙げて説明する。
【００１４】
図１は本発明の実施形態に係る２組の携帯電話及び充電台（充電器）を示すブロック図である。携帯電話本体Ａ１０２が充電器Ａ１０６に接続され装置Ａ１０１を構成している。装置Ａ１０１は、本実施形態におけるデータ転送元の装置（第１携帯端末及び第１充電台）となる。携帯電話本体Ａ１０２は、本体メモリＡ１０３と、本体制御部Ａ１０４と、バッテリーＡ１０５とを内蔵している。充電器Ａ１０６は、バッテリーＡ１０５に電力を供給して充電する充電部Ａ１０７と、本体制御部Ａ１０４とデータのやり取りなどについての制御をする充電台制御部Ａ１０８と、携帯電話本体Ａ１０２から送られてきたデータなどを保存するバックアップメモリＡ１０９とを内蔵している。
【００１５】
また、携帯電話本体Ｂ２０２が充電器Ｂ２０６に接続され装置Ｂ２０１を構成している。装置Ｂ２０１は、本実施形態におけるデータ転送先の装置（第２携帯端末及び第２充電台）となる。携帯電話本体Ｂ２０２は、本体メモリＢ２０３と、本体制御部Ｂ２０４と、バッテリーＢ２０５とを内蔵している。充電器Ｂ２０６は、バッテリーＢ２０５に電力を供給して充電する充電部Ｂ２０７と、本体制御部Ｂ２０４とデータのやり取りなどについての制御をする充電台制御部Ｂ２０８と、携帯電話本体Ｂ２０２から送られてきたデータなどを保存するバックアップメモリＢ２０９とを内蔵している。
【００１６】
次に、携帯電話本体Ａ１０２の本体メモリＡ１０３及び携帯電話本体Ｂ２０２の本体メモリＢ２０３に記憶されるデータについて、図２を参照して説明する。図２はかかるデータの内容を示す説明図である。本体メモリＡ１０３及び本体メモリＢ２０３に記憶されるデータは、認証データ３０１と個人データ３０２とからなる。認証データ３０１は、例えば携帯電話本体の電話番号といった通信事業者（キャリア会社）との接続に使用するデータである。個人データ３０２は、例えば電話帳やメールアドレスといったユーザが入力したデータである。
【００１７】
次に、充電器Ａ１０６のバックアップメモリＡ１０９及び充電器Ｂ２０６のバックアップメモリＢ２０９に記憶されるデータについて、図３を参照して説明する。図３はかかるデータの内容を示す説明図である。認証データ４０１は、例えば携帯電話本体の電話番号といった認証データ３０１をバックアップしたデータである。個人データ４０２は、例えば携帯電話本体の電話帳やメールアドレスといった個人データ３０２をバックアップしたデータである。登録データ４０３は充電台（充電器Ａ１０６及び充電器Ｂ２０６）同士の登録データを示す。
【００１８】
次に、上記装置Ａ１０１単体での動作について図１及び図４を参照して説明する。なお、上記装置Ｂ２０１単体での動作は装置Ａ１０１と同一である。図４は装置Ａ１０１単体での動作を示す説明図である。
先ず、携帯電話（携帯電話本体Ａ１０２及び充電器Ａ１０６）を新規に購入した場合、充電器Ａ１０６に携帯電話本体Ａ１０２を接続する（Ｓ８０１）。次いで、携帯電話本体Ａ１０２に保存されている認証データと個人データを充電器Ａ１０６にコピーする（Ｓ８０２）。その後、認証データの照合を条件に、個人データのバックアップを行う（Ｓ８０３）。
【００１９】
次に、既に使用されている装置Ａ１０１から新規に使用する装置Ｂ２０１にデータ転送する場合について、図１及び図５を参照して説明する。図５は装置Ａから新規の装置Ｂにデータ転送する場合の動作を示す説明図である。
先ず、装置Ａ（装置Ａ１０１）と装置Ｂ（装置Ｂ２０１）を接続する。このとき、装置Ｂには、購入したばかりなどの理由でデータ（認証データ及び個人データなど）が何も記憶されていない（Ｓ５０１）。
【００２０】
次いで、装置Ａが保存している認証データ及び個人データを新規の装置Ｂに転送する。すると、装置Ｂの充電器Ｂは認証データ及び個人データを登録したことを示す登録データを作成し、その登録データを充電器Ａに送信する。すると、充電器Ａは受信した登録データを記憶し、装置Ａの登録データ以外のデータを消去する（Ｓ５０２）。
次に、装置Ｂと装置Ｃを接続する。このとき、装置Ｃには、購入したばかりなどの理由でデータ（認証データ及び個人データなど）が何も記憶されていない（Ｓ５０３）。
【００２１】
次いで、装置Ｂが保存している認証データ及び個人データを新規の装置Ｃに転送する。すると、装置Ｃの充電器Ｃは登録データを作成し、その登録データを充電器Ｂに送信する。すると、充電器Ｂは受信した登録データを充電器Ｃから受信した登録データに書き換えて記憶し、装置Ｂの登録データ以外のデータを消去する（Ｓ５０４）。
【００２２】
これらにより、装置Ａの携帯端末本体Ａと、装置Ｂの携帯端末本体Ｂとが異なる機種であっても、２つの充電器Ａ，Ｂを介して、携帯端末本体Ａの認証データ及び個人データを携帯端末本体Ｂに、簡易に転送することができる。したがって、本実施形態によれば、携帯端末の機種変更などをした場合、今まで使用されていた携帯端末内のデータを新たな携帯端末に簡易にコピーすることができる。また、本実施形態によれば、充電器Ａ，Ｂ同士間でデータの送受信をするので、他の経路からデータが漏洩することを回避することができる。
【００２３】
また、本実施形態によれば、装置Ａから装置Ｂへ認証データ及び個人データがコピーされた後、装置Ａにおいて認証データ及び個人データが消去されるので、第３者が不正に装置Ａを用いて認証データ及び個人データを取得することを防止することができる。また、本実施形態によれば、携帯端末本体及び充電器に認証データを保存するので、他の同機種の携帯端末を充電器に接続することによる個人データなどの不正コピーを防止することができる。
【００２４】
次に、データのリカバリを行う場合の動作について図６を参照して説明する。図６は、データのリカバリについての動作を示す説明図である。この実施形態は何らかの理由により、使用していた携帯電話本体Ｂを使用しなくなった、又は使用できなくなった場合、以前使用していた携帯電話本体Ａに最新のデータを使用できるように復元するものである。
【００２５】
先ず、装置Ａと充電器Ｂを接続し、装置Ａの登録データと充電器Ｂの登録データとを照合する（Ｓ６０１）。ここで、登録データの照合が取れた場合は、充電器Ｂから装置Ａへ認証データ及び個人データを転送し、充電器Ｂの認証データ及び個人データを消去する（Ｓ６０２）。
【００２６】
これらにより、本実施形態によれば、充電器Ａ及び充電器Ｂに保存されている登録データの照合をとり、その照合がとれた場合、充電器Ｂから充電器Ａに認証データ及び個人データを転送するので、何らかの理由により使用していた携帯端末本体Ｂを使用しなくなった場合又は使用できなくなった場合に、以前使用していた携帯端末本体Ａにおいて認証データ及び個人データを復元すること、すなわちデータのリカバリをすることができる。また、データのリカバリを行った後は、充電器Ｂに保存されている認証データ及び個人データを消去するので、その充電器Ｂからデータが不正コピーされるのを防止することができる。
【００２７】
次に、上記のようにデータリカバリをした後、使用していない携帯電話本体の処理動作について図７を参照して説明する。図７は、データリカバリ後に使用しない携帯電話本体に対する処理動作を示す説明図である。
先ず、装置Ａの登録データと装置Ｂの登録データの照合を行う（Ｓ７０１）。その照合が取れた場合、使用しない携帯電話本体Ａの認証データ及び個人データを削除する（Ｓ７０２）。このステップＳ７０２では充電器Ａの認証データ及び個人データを削除することが好ましい。
【００２８】
これらにより、本実施形態によれば、上記のようなデータのリカバリをした後、使用しない携帯電話本体及び充電器に保存されている認証データ及び個人データを消去することができ、データリカバリ後における個人データなどの不正コピーを防止することができる。
【００２９】
以上、本発明の実施形態について図面を参照して詳述してきたが、具体的な構成はこの実施形態に限られるものではなく、本発明の要旨を逸脱しない範囲の設計変更等も含まれる。
上記実施形態では、携帯端末として携帯電話を挙げているが、本発明はこれに限定されるものではなく、ＰＨＳ（Ｐｅｒｓｏｎａｌ  Ｈａｎｄｙｐｈｏｎｅ  Ｓｙｓｔｅｍ）、ノート型パーソナルコンピュータ、ＰＤＡ（Ｐｅｒｓｏｎａｌ  Ｄｉｇｉｔａｌ  Ａｓｓｉｓｔａｎｃｅ）などの通信端末に本発明を適用してもよい。
【００３０】
【発明の効果】
以上説明したように、本発明によれば、携帯端末用の充電台同士を電気的に接続し、その充電台同士における一方の充電台のバックアップメモリに保存されているデータを他方の充電台に転送するので、機種の異なる携帯端末間においても、簡易にかつ高いセキュリティをもってデータ転送することができる。
【図面の簡単な説明】
【図１】本発明の実施形態に係る２組の携帯電話及び充電台（充電器）を示すブロック図である。
【図２】携帯電話本体に記憶されるデータの内容を示す説明図である。
【図３】充電器に記憶されるデータの内容を示す説明図である。
【図４】装置Ａ単体での動作を示す説明図である。
【図５】装置Ａから新規の装置Ｂにデータ転送する場合の動作を示す説明図である。
【図６】データのリカバリについての動作を示す説明図である。
【図７】データリカバリ後に使用しない携帯電話本体に対する処理動作を示す説明図である。
【符号の説明】
１０１；装置Ａ、１０２；携帯電話本体Ａ、１０３；本体メモリＡ、１０４；本体制御部Ａ、１０５；バッテリーＡ、１０６；充電器Ａ（充電台Ａ）、１０７；充電部Ａ、１０８；充電台制御部Ａ、１０９；バックアップメモリＡ、２０１；装置Ｂ、２０２；携帯電話本体Ｂ、２０３；本体メモリＢ、２０４；本体制御部Ｂ、２０５；バッテリーＢ、２０６；充電器Ｂ（充電台Ｂ）、２０７；充電部Ｂ、２０８；充電台制御部Ｂ、２０９；バックアップメモリＢ
【図１】
2004248087.tif 000003
【図２】
2004248087.tif 000004
【図３】
2004248087.tif 000005
【図４】
2004248087.tif 000006
【図５】
2004248087.tif 000007
【図６】
2004248087.tif 000008
【図７】
2004248087.tif 000009